(57)【要約】【課題】  所定の空間における色度を変更する時における違和感を低減することができる照明制御システム等を提供する。【解決手段】    照明制御システムは、所定の空間における色度を変更する信号を入力する信号入力部６と、信号入力部６により信号が入力されたことに応じて照明部１を制御し、所定の空間における色度を、第１光環境の第１色度から第２光環境の第２色度に変更させる制御部２と、を有し、制御部２は、第１色度と第２色度との差の大きさに応じて、第１色度から第２色度に変更させる移行時間を変更する。【選択図】      図１
2015065036.tif 000002
【特許請求の範囲】
【請求項１】
光源を制御する照明制御システムであって、
所定の空間における色度を変更する信号を入力する信号入力手段と、
前記信号入力手段により信号が入力されたことに応じて前記光源を制御し、所定の空間における色度を、第１光環境の第１色度から第２光環境の第２色度に変更させる制御手段と、を有し、
前記制御手段は、前記第１色度と前記第２色度との差の大きさに応じて、前記第１色度から前記第２色度に変更させる移行時間を変更することを特徴とする照明制御システム。
【請求項２】
前記制御手段は、前記第１色度から前記第２色度まで変更する過程の色度を、二次元座標空間で色を表した色度図上において前記第１色度と前記第２色度とを繋ぐ直線上の色度となるように変化させることを特徴とする請求項１に記載の照明制御システム。
【請求項３】
前記第１光環境における所定の空間の明るさを第１明るさとし、前記第２光環境における所定の空間の明るさを第２明るさとし、
前記制御手段は、前記第１明るさと前記第２明るさとの差の大きさに応じて、前記移行時間を変更することを特徴とする請求項１又は請求項２に記載の照明制御システム。
【請求項４】
少なくとも年齢、人種、性別の１つを含むユーザの属性情報を取得するユーザ属性取得手段を備え、
前記制御手段は、前記ユーザ属性取得手段により取得されたユーザの属性情報に応じて、前記移行時間を変更することを特徴とする請求項１乃至請求項３の何れか一項に記載の照明制御システム。
【請求項５】
前記信号入力手段は、前記所定の空間におけるユーザの有無を検出する人感センサであることを特徴とする請求項１乃至請求項４の何れか一項に記載の照明制御システム。
【請求項６】
前記信号入力手段は、前記人感センサにより第１空間から第２空間にユーザが進入したことを検出し、
前記制御手段は、前記第１空間の第３色度から第４色度に前記第２空間の色度を変更する場合に、前記第３色度と前記第４色度との差の大きさに応じて、前記第３色度から前記第４色度に変更させる移行時間を変更すること
を特徴とする請求項５に記載の照明制御システム。
【発明の詳細な説明】
【技術分野】
【０００１】
本発明は、照明制御システムに関する。
【背景技術】
【０００２】
照明を制御して色度や照度を制御する技術としては、下記の特許文献１が知られている。
【０００３】
この特許文献１には、時間単位で光源の色度や照度を規定値内で変動制御することが記載されている。これにより、１日の日照変化に加え、季節による照度及び色度の変化を取り入れることで、快適な環境を実現するとしている。
【先行技術文献】
【特許文献】
【０００４】
【特許文献１】特開２０１１−０２３３３９号公報
【発明の概要】
【発明が解決しようとする課題】
【０００５】
上述したように色度を制御する技術は、１日における光環境が変化するときに光源の色度や照度を制御するものである。したがって、この特許文献１の技術では、例えばユーザが色度を変更したい場合などのように瞬間的に色度を切り替えることを想定していない。
【０００６】
ユーザの目が任意の色度に順応しているときに瞬間的に色度を変更した場合に、ユーザにとっては、周囲が切り替わる色度間の補足に見えてしまう可能性がある。このため、色度を切り替えた時にユーザに不快な違和感を与える可能性がある。
【０００７】
そこで、本発明は、上述した実情に鑑みて提案されたものであり、所定の空間における色度を変更する時における違和感を低減することができる照明制御システムを提供することを目的とする。
【課題を解決するための手段】
【０００８】
本発明の第１の態様に係る照明制御システムは、光源を制御する照明制御システムであって、所定の空間における色度を変更する信号を入力する信号入力手段と、前記信号入力手段により信号が入力されたことに応じて前記光源を制御し、所定の空間における色度を、第１光環境の第１色度から第２光環境の第２色度に変更させる制御手段と、を有し、前記制御手段は、前記第１色度と前記第２色度との差の大きさに応じて、前記第１色度から前記第２色度に変更させる移行時間を変更することを特徴とする。
【０００９】
本発明の第２の態様に係る照明制御システムは、上記第１の態様の照明制御システムであって、前記制御手段は、前記第１色度から前記第２色度まで変更する過程の色度を、二次元座標空間で色を表した色度図上において前記第１色度と前記第２色度とを繋ぐ直線上の色度となるように変化させることを特徴とする。
【００１０】
本発明の第３の態様に係る照明制御システムは、上記第１又は第２の態様の照明制御システムであって、前記第１光環境における所定の空間の明るさを第１明るさとし、前記第２光環境における所定の空間の明るさを第２明るさとし、前記制御手段は、前記第１明るさと前記第２明るさとの差の大きさに応じて、前記移行時間を変更することを特徴とする。
【００１１】
本発明の第４の態様に係る照明制御システムは、上記第１乃至第３の態様の何れかの態様の照明制御システムであって、少なくとも年齢、人種、性別の１つを含むユーザの属性情報を取得するユーザ属性取得手段を備え、前記制御手段は、前記ユーザ属性取得手段により取得されたユーザの属性情報に応じて、前記移行時間を変更することを特徴とする。
【００１２】
本発明の第５の態様に係る照明制御システムは、上記第１乃至第４の態様の何れかの態様の照明制御システムであって、前記信号入力手段は、前記所定の空間におけるユーザの有無を検出する人感センサであることを特徴とする。
【００１３】
本発明の第６の態様に係る照明制御システムは、上記第５の態様の照明制御システムであって、前記信号入力手段は、前記人感センサにより第１空間から第２空間にユーザが進入したことを検出し、前記制御手段は、前記第１空間の第３色度から第４色度に前記第２空間の色度を変更する場合に、前記第３色度と前記第４色度との差の大きさに応じて、前記第３色度から前記第４色度に変更させる移行時間を変更することを特徴とする。
【発明の効果】
【００１４】
本発明によれば、所定の空間における色度を変更する時における違和感を低減することができる。
【図面の簡単な説明】
【００１５】
【図１】本発明の実施形態として示す照明制御システムの構成を示すブロック図である。
【図２】本発明の実施形態として示す照明制御システムにおいて使用する色度図である。
【図３】本発明の実施形態として示す照明制御システムにおいて参照する色度差と移行時間との関係を示す移行時間テーブルである。
【図４】本発明の実施形態として示す照明制御システムにおいて、（ａ）は第１光環境を示し、（ｂ）は第２光環境を示す。
【図５】本発明の実施形態として示す照明制御システムによって同じ部屋で光環境を変更する場合における、（ａ）は第１光環境を示し、（ｂ）は第２光環境を示す。
【図６】本発明の実施形態として示す照明制御システムによって別の部屋で光環境を変更する場合における、（ａ）は第１光環境を示し、（ｂ）は第２光環境を示す。
【図７】本発明の実施形態として示す照明制御システムの構成を示すブロック図である。
【図８】本発明の実施形態として示す照明制御システムによって複数の照明部を制御することを説明する図であり、（ａ）は廊下、（ｂ）は暗い環境を示す。
【図９】本発明の実施形態として示す照明制御システムによってトンネル内の照明部を制御することを説明するための概略図である。
【発明を実施するための形態】
【００１６】
以下、本発明の実施の形態について図面を参照して説明する。
【００１７】
本発明の実施形態として示す照明制御システムは、例えば図１に示すような機能的な各部を有する。この照明制御システムは、例えば部屋の天井に設けられるシーリングライトを制御するものである。なお、照明制御システムは、シーリングライトに限らず、各種の照明を制御可能である。
【００１８】
照明制御システムは、照明部１、制御部２、判断部３、照度センサ部４、色度センサ部５、及び、記憶部７を有する。さらに、照明制御システムは、信号入力部６を有していてもよい。
【００１９】
なお、照明部１、制御部２、判断部３、照度センサ部４、色度センサ部５、記憶部７、信号入力部６は、シーリングライト内に設けられていてもよい。さらに、照明部１のみがシーリングライト内に設けられ、他の各部は任意の場所に設けられていてもよい。すなわち、照明部１、制御部２、判断部３、照度センサ部４、色度センサ部５、記憶部７、信号入力部６の各部の設置箇所は限定しない。
【００２０】
照明部１は、少なくとも色度を含む照明物理量が調整可能な光源である。照明部１は、例えば所定の配列パターンによって配置された複数のＬＥＤ発光素子等の光源によって構成される。この配列パターンは、例えば、異なる直径の円環に沿って複数のＬＥＤを配置したものなどが考えられる。
【００２１】
照度センサ部４は、所定の空間の照度（明るさ）を検出する。照度センサ部４は、例えば、シーリングライトが設けられた部屋の床面を所定範囲として照度が検出可能なものである。この検出された照度は、所定の空間の明るさに相当する。
【００２２】
なお、照度センサ部４は、部屋の床面のみならず、壁面を検知対象としてもよい。さらに、照度センサ部４は、部屋の床面や壁面の一部を検知対象としてもよい。照度センサ部４によって検出された照度は判断部３に供給される。
【００２３】
色度センサ部５は、所定の空間の色度を検出する。色度センサ部５は、例えば、シーリングライトが設けられた部屋の床面を所定範囲として照度が検出可能なものである。色度センサ部５によって検出された色度は判断部３に供給される。
【００２４】
信号入力部６は、所定の空間における色度を変更する信号を入力する信号入力手段として機能する。この信号入力部６は、ユーザが操作する操作スイッチやリモートコントローラにより構成してもよい。例えば、操作スイッチやリモートコントローラは、所定の空間における光環境が選択可能となっている。この光環境としては、所定の空間における色度を少なくとも含む。また、光環境は、所定の空間の明るさを含んでもよい。
【００２５】
また、信号入力部６は、所定の空間におけるユーザの有無を検出する人感センサであってもよい。
【００２６】
記憶部７は、制御部２の制御に使用する各種の情報を記憶する。記憶部７は、図２に示した色度図、図３に示した移行時間テーブルを記憶している。この移行時間テーブルは、移行時間特性Ａ，Ｂの複数を含んでいるが、単一であってもよい。記憶部７に記憶された移行時間特性のうち何れかの情報が、制御部２によって読み込まれる。なお、記憶部７は、少なくとも図３に示した移行時間テーブルを記憶していればよい。
【００２７】
図２に示した色度図は、所定の空間において取り得る色度を二次元座標空間で表したものである。この色度図は、CIExy色度図とも呼ばれる。この色度図において、通常の照明光として選択される色度は、図２中における照明光特性上から選択される。この照明光特性状において、点Ａはタングステン電球の光（色度２８６５Ｋ、電球色）、点Ｂは太陽の光（白色）、点Ｃは青空からの光（色度６７７４Ｋ、白昼色）に相当する。
【００２８】
図３に示した移行時間テーブルは、色度差と移行時間との関係を表している。この移行時間テーブルは、所定の空間において変化する色度差が大きいほど、長い移行時間であることを表している。すなわち、色度差が小さい場合には移行時間はＴ１となる。色度差が大きい場合には移行時間はＴ２となる。この移行時間は、所定の空間における色度が変化するときに必要な時間である。この移行時間テーブルは、例えば照明制御システムの設計者等によって予め設定されている。
【００２９】
判断部３は、照度センサ部４、色度センサ部５、及び、信号入力部６と接続されている。判断部３は、信号入力部６から色度を変更する信号を入力する前の第１光環境を認識する。この第１光環境は、少なくとも色度センサ部５により検出された所定の空間における色度により特定される。判断部３は、信号入力部６により入力された信号に基づいて、所定の空間における第２光環境を判断する。この第２光環境は、所定の空間における色度により特定される。
【００３０】
制御部２は、信号入力部６により信号が入力されたことに応じて照明部１における光源を制御する。制御部２は、所定の空間における色度を、第１光環境の第１色度から第２光環境の第２色度に変更させる。制御部２は、第１色度、第２色度を判断部３から取得する。このとき、制御部２は、第１色度と第２色度との色度差の大きさに応じて、第１色度から第２色度に変更させる移行時間を変更する。
【００３１】
色度を変更するとき、制御部２は、記憶部７に記憶した移行時間テーブルを参照する。これにより、制御部２は、第１光環境から第２光環境への色度差が大きいほど、移行時間を長くする。すなわち、色度差が大きい場合には、制御部２は、色度をゆっくり変更させる。
【００３２】
具体的には、図４に示すように、所定の空間１１０における色度を、第１光環境の第１色度Ａ１（図４（ａ））から第２光環境の第２色度Ａ２（図４（ｂ））に変更させるとする。このとき、判断部３は、照度センサ部４の信号から第１光環境の第１色度Ａ１を判断し、さらに、信号入力部６の信号から第２光環境となる第２色度Ａ２を判断する。
【００３３】
制御部２は、判断部３により判断された第１色度Ａ１と第２色度Ａ２との色度差から移行時間を判断する。制御部２は、判断した移行時間に亘って、第１色度Ａ１から第２色度Ａ２へと次第に所定の空間１１０における色度を制御する。
【００３４】
このように色度を変更するとき、制御部２は、第１色度から第２色度まで変更する過程の色度を、色度図を参照して決定することが望ましい。このとき、制御部２は、色度図上において第１色度と第２色度とを繋ぐ直線上の色度となるように変化させる。すなわち、制御部２は、図２に示すように、第１色度Ａ１のピンク色（図５（ａ））から第２色度Ａ２の昼白色（図５（ｂ））に色度を変更する場合に、Ａ１からＡ２までを直線で繋いだ各点の色度となるように次第に色度を変更する。なお、第１色度Ａ１のピンク色は、例えば、照明部１の追加機能として、通常の照明光とは異なる光として選択されたものである。
【００３５】
更に、制御部２は、第１明るさＢ１と第２明るさＢ２との差の大きさに応じて、第１色度Ａ１から第２色度Ａ２への移行時間を変更してもよい。この第１明るさＢ１は、図４（ａ）に示すように、第１光環境における所定の空間１１０の明るさである。第２明るさＢ２は、図４（ｂ）に示すように、第２光環境における所定の空間１１０の明るさである。
【００３６】
このために、判断部３は、信号入力部６から信号を入力する前の第１光環境としての第１明るさＢ１を認識する。この第１光環境における第１明るさＢ１は、照度センサ部４により検出された所定の空間における照度により特定される。判断部３は、信号入力部６により入力された信号に基づいて、所定の空間における第２光環境における第２明るさＢ２を判断する。
【００３７】
制御部２は、信号入力部６により信号が入力されたことに応じて照明部１における光源を制御する。制御部２は、所定の空間における明るさを、第１光環境の第１明るさＢ１から第２光環境の第２明るさＢ２に変更させる。このとき、制御部２は、第１明るさＢ１と第２明るさＢ２との差の大きさに応じて、第１色度から第２色度に変更させる移行時間を変更する。
【００３８】
色度を変更するとき、制御部２は、図２に示した記憶部７に記憶した移行時間テーブルを参照する。これにより、制御部２は、第１光環境から第２光環境への明るさの差が大きいほど、移行時間を長くする。すなわち、明るさの差が大きい場合には、制御部２は、色度をゆっくり変更させる。
【００３９】
さらに、照明制御システムは、ユーザ属性を利用して所定の空間における色度を制御することが望ましい。このために、照明制御システムは、少なくとも年齢、人種、性別の１つを含むユーザの属性情報を取得する（ユーザ属性取得手段）。このユーザ属性取得手段としては、ユーザの操作を受け付けることが挙げられる。このユーザの操作を受け付ける構成としては、照明部１に付属したリモコンや、壁スイッチ等が挙げられる。
【００４０】
照明制御システムは、ユーザ属性を取得すると、当該ユーザ属性に応じて、移行時間の特性を変更する。照明制御システムは、図３に示したように、例えばユーザ属性としての年齢層に対応づけて、移行時間特性Ａ，Ｂを記憶している。例えば、ユーザの年齢が２０−４０代である場合には、移行時間特性Ａに従って移行時間を変更する。一方、ユーザの年齢が５０代以上である場合には、移行時間特性Ｂに従って移行時間を変更する。
【００４１】
これにより、ユーザが高齢者であるほど、移行時間を長くとする。照明制御システムによれば、ユーザが高齢者であると、ユーザが所定の空間における色度や明るさの変化の順応に時間がかかることを考慮して、色度をゆっくりと変更する。
【００４２】
さらに、年齢のみならず、人種、性別に応じて、色度の変化の順応にかかる時間が異なる。照明制御システムは、人種、性別に応じて、色度の変化の順応にかかる時間が長くなるほど、色度を変更する移行時間を長くする。
【００４３】
なお、ユーザ属性として年齢について説明したが、これに限らない。すなわち、年齢ではなく、人種又は性別であってもよい。人種、性別によって色度の変化に対して目の順応に時間がかかるほど、移行時間を長くする。さらに、ユーザ属性は、年齢、人種、性別を組み合わせて移行時間を設定してもよい。
【００４４】
以上のように、照明制御システムは、光源を制御する。この照明制御システムは、所定の空間における色度を変更する信号を入力する信号入力手段（６）を有する。さらに、照明制御システムは、信号入力手段により信号が入力されたことに応じて光源を制御し、所定の空間における色度を、第１光環境の第１色度から第２光環境の第２色度に変更させる制御手段（２）を有する。制御手段は、第１色度と第２色度との差の大きさに応じて、第１色度から第２色度に変更させる移行時間を変更する。
【００４５】
この照明制御システムによれば、第１色度と第２色度との差の大きさに応じて、第１色度から第２色度に変更させる移行時間を変更するので、瞬間的に所定の空間における色度が変更することを抑制できる。したがって、照明制御システムによれば、所定の空間における色度を変更する時におけるユーザの違和感を低減することができる。
【００４６】
より具体的には、ピンク色の光環境に色順応した状態から瞬間的に昼白色に変更すると、補色の緑色に見えてユーザに不快な違和感を与える。しかし、この照明制御システムによれば、色見えの点で不快な違和感を与えることを抑制しつつ、昼白色の光環境に移行できる。
【００４７】
また、この照明制御システムにおいて、制御手段は、第１色度から第２色度まで変更する過程の色度を、二次元座標空間で色を表した色度図上において第１色度と第２色度とを繋ぐ直線上の色度となるように変化させることができる。この照明制御システムによれば、色図上の別の経路に沿った色度となるよう変化する場合と比べて、ユーザに与える違和感をより少なくできる。
【００４８】
さらに、第１光環境における所定の空間の明るさを第１明るさとし、第２光環境における所定の空間の明るさを第２明るさとし、制御手段は、第１明るさと第２明るさとの差の大きさに応じて、色度の移行時間を変更することができる。これにより照明制御システムによれば、ユーザの違和感をさらに低減することができる。
【００４９】
さらに、照明制御システムは、少なくとも年齢、人種、性別の１つを含むユーザの属性情報を取得するユーザ属性取得手段を備えていてもよい。制御手段は、ユーザ属性取得手段により取得されたユーザの属性情報に応じて、移行時間を変更することができる。
【００５０】
この照明制御システムによれば、ユーザの属性によって色や明るさの順応時間が異なる場合であっても、ユーザ属性に対して適切な移行時間を設定できる。したがって、この照明制御システムによれば、例えば高齢者のように色度や明るさの変化の順応に時間がかかるユーザの場合には色度をゆっくりと変更できる。
【００５１】
さらに、この照明制御システムは、図６に示すように、第１光環境の空間１１１（部屋Ａ）から第２光環境の空間１１２（部屋Ｂ）にユーザＰが入室する時に、移動先の空間１１２における色度の移行時間を制御してもよい。
【００５２】
この照明制御システムは、例えば、図７に示すように、複数の照明部１００、１０１を有する。照明部１００は空間１１１に設けられる。照明部１０１は空間１１２に設けられる。
【００５３】
さらに、照明制御システムは、複数の照明部１００、１０１に対応して、複数の色度センサ部５Ａ、５Ｂを有する。色度センサ部５Ａは空間１１１の色度を検出する。色度センサ部５Ｂは空間１１２の色度を検出する。
【００５４】
なお、照明制御システムは、各空間１１１、１１２に対応して、照度センサ部４Ａ，４Ｂ、信号入力部６Ａ，６Ｂを備えている。この実施形態において、信号入力部６Ａ，６Ｂは人感センサにより構成されているとする。
【００５５】
図６（ａ）に示すように照明光Ｌａによって色度がピンク色の空間１１１から、図６（ｂ）のように照明光Ｌｂによって色度が昼白色の空間１１２にユーザＰが入室するとする。空間１１１の色度は色度センサ部５Ａによって検出されている。また、空間１１２の色度は色度センサ部５Ｂによって検出されている。ユーザＰが空間１１１から空間１１２に移動すると、この行動は、空間１１２の信号入力部６Ｂにより検出される。
【００５６】
制御部２は、信号入力部６Ａ、６ＢによってユーザＰが空間１１１から空間１１２に移動した信号が入力されたことに応じて照明部１０１における光源を制御する。制御部２は、空間１１１から空間１１２にユーザＰが移動したときに、ユーザＰが違和感を与えないように空間１１２における色度を調整する。
【００５７】
このとき、制御部２は、空間１１２における色度を、空間１１１における第３色度のピンク色から第４色度の昼白色に変更させる。制御部２は、照明部１０１を制御して、第３色度と第４色度との差の大きさに応じて、第３色度から第４色度に変更させる移行時間を変更する。
【００５８】
以上のように、この照明制御システムは、信号入力手段（人感センサ）により第１空間（１１１）から第２空間（１１２）にユーザＰが進入したことを検出する。この時、制御手段（２）は、第２空間の色度を、第１空間の第３色度から、第４色度に変更する。この場合に、制御手段は、第３色度と第４色度との差の大きさに応じて、第３色度から第４色度に変更させる移行時間を変更する。
【００５９】
これにより、照明制御システムによれば、ユーザＰが移動する時であっても、移動して周囲の色度が変更される時におけるユーザの違和感を低減することができる。
【００６０】
また、制御部２は、空間１１２における色度を、色度図上において直線状に変化させることが望ましい。さらに、制御部２は、空間１１１の第１明るさと空間１１２の第２明るさとの差の大きさに応じて、空間１１２における色度の移行時間を変更してもよい。さらに、制御部２は、ユーザ属性に応じて移行時間を変更することが望ましい。
【００６１】
この照明制御システムは、信号入力部６を、所定の空間におけるユーザの有無を検出する人感センサとする。これにより、照明制御システムによれば、第１光環境の空間１１１から第２光環境の空間１１２にユーザＰが移動したときに、信号入力部６によってユーザＰを検出して、空間１１２の色度の移行時間を変更できる。
【００６２】
具体的には、ピンク色の光環境に色順応した空間１１１から、別の昼白色の空間１１２にユーザＰが入室する際に、人感センサによる検知をトリガー信号として空間１１２の色度を調整できる。したがって、この照明制御システムによれば、ユーザＰが移動して異なる光環境となる場合であっても、色見えの点で不快な違和感を低減できる。
【００６３】
さらに、照明制御システムは、図８に示すように、廊下１１３を移動して、空間１１４に入室する場合に、廊下１１３における複数の照明部２００を制御してもよい。この空間１１４は例えば映画館であり、廊下１１３は映画館に繋がる通路である。このとき、照明制御システムは、ユーザＰの目が次第に暗い環境に順応するように照明部２００の明るさを制御する。
【００６４】
具体的には、廊下１１３に４つの照明部２００ａ、２００ｂ、２００ｃ、２００ｄが設置され、空間１１４に、暗い照明光Ｌｃで点灯している照明部１００が設置されているとする。照明部２００ａ〜２００ｄは例えばダウンライトである。空間１１４は例えば映画館である。
【００６５】
空間１１４が暗い環境（明るさ（５））であり、廊下１１３から空間１１４に向かうほど、照明部２００ａ〜２００ｄの明るさを暗くする。照明制御システムは、明るさ（１）、（２）、（３）、（４）、（５）の順で明るさが暗くなる場合、照明部２００ａを明るさ（１）、照明部２００ｂを明るさ（２）、照明部２００ｃを明るさ（３）、照明部２００ｄを明るさ（４）になるよう制御する。
【００６６】
このように、ユーザＰの移動先の空間１１４が暗い場合、空間１１４に近づくに従って照明部２００ａ〜２００ｄの明るさを次第に低下させる。したがって、この照明制御システムによれば、最終の移動先となる空間１１４の明るさ（５）に暗順応しやすくすることができる。
【００６７】
なお、この照明制御システムは、空間１１４が明るい場合には、照明部２００ａ〜２００ｄを制御して、空間１１４に近づくに従って廊下１１３の明るさを次第に明るくしてもよい。また、照明制御システムは、空間１１４に近づくに従って廊下１１３の色度を次第に空間１１４の色度に近づけてもよい。
【００６８】
さらに、上述した照明制御システムは、図９に示すように、自動車Ｖが通過するトンネル３００に設置された複数の照明部３０１ａ〜３０１ｆを制御して、トンネル３００内の色度を制御してもよい。さらに、照明制御システムは、複数の照明部３０１ａ〜３０１ｆを制御して、トンネル３００内の明るさを制御してもよい。
【００６９】
例えば図９に示すように、トンネル３００における中央部の光環境（色度（３）、明るさ（３））にドライバの目が順応しやすいように、トンネル３００における色度、明るさを調整する。トンネル３００における中央付近には、照明部３０１ｃ、３０１ｄが設けられている。照明部３０１ｃ、３０１ｄは、照明光Ｌｃ、Ｌｄを照射して、周囲を色度（３）、明るさ（３）にしている。
【００７０】
照明制御システムは、照明部３０１ｃ、３０１ｄの周囲の照明部３０１ａ、３０１ｂ、３０１ｅ、３０１ｆを制御して、トンネル３００における色度、明るさを調整する。制御部２は、照明部３０１ａの照明光Ｌａを制御して、周囲を色度（１）、明るさ（１）に調整する。制御部２は、照明部３０１ｂの照明光Ｌｂを制御して、周囲を色度（２）、明るさ（２）に調整する。
【００７１】
照明制御システムは、トンネル３００の入口から中央に向けて色度（０）及び明るさ（０）、色度（１）及び明るさ（１）、色度（２）及び明るさ（２）となり、次第にトンネル３００の中央部の色度（３）及び明るさ（３）に近づけることができる。これにより、トンネル３００への進入時に、次第にトンネル３００の中央部の色度（３）、明るさ（３）に近づくよう自動車Ｖのドライバの目を順応させることができる。
【００７２】
同様に、照明制御システムは、照明部３０１ｅ、３０１ｆを制御する。これにより、  照明制御システムは、トンネル３００の中央から出口に向けて色度（３）及び明るさ（３）、色度（４）及び明るさ（４）、色度（５）、明るさ（５）となり、次第にトンネル３００の出口の色度（６）及び明るさ（６）に近づけることができる。これにより、トンネル３００から出る時に、次第にトンネル３００の出口の色度（６）、明るさ（６）に近づくよう自動車Ｖのドライバの目を順応させることができる。
【００７３】
以上のような照明制御システムによれば、自動車Ｖの移動と連動してトンネル３００における色度及び明るさを変化させることができる。これにより、照明制御システムによれば、トンネル３００への進入時やトンネル３００から出る時の光環境の変化にスムーズに順応させることができ、快適な走行をさせることができる。
【００７４】
さらに、照明制御システムは、例えば、トンネル３００の法定走行速度と照明部３０１との間隔とにより決まる自動車Ｖの通過時間に応じて、照明部３０１の色度及び明るさを調整することが望ましい。これにより、照明制御システムは、急激に自動車Ｖ周囲の色度及び明るさを変化させることなく、色度を変更する時における違和感を低減することができる。
【００７５】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００７６】
１  照明部
２  制御部
４  照度センサ部
５  色度センサ部
６  信号入力部
【図１】
2015065036.tif 000003
【図２】
2015065036.tif 000004
【図３】
2015065036.tif 000005
【図４】
2015065036.tif 000006
【図５】
2015065036.tif 000007
【図６】
2015065036.tif 000008
【図７】
2015065036.tif 000009
【図８】
2015065036.tif 000010
【図９】
2015065036.tif 000011